(57)【特許請求の範囲】
【請求項１】
座と、この座の両側に配された側パネルとを具備してなる椅子において、
前記側パネルの少なくとも一方の内面における前記座の座面よりも上方に位置する部位にコンセントを設け、
前記座の両側縁部上に肘掛を兼ねるホールド部材を設けているとともに、
前記ホールド部材の前端面が前記側パネルの前端面よりも後方に位置しており、それら前端面間かつホールド部材の上端面よりも下方に前記コンセントを配している椅子。
【請求項２】
前記座の前端面と前記側パネルの前端面とを略面一に構成している請求項１記載の椅子。
【請求項３】
前記側パネルがその内部に前記コンセントに接続された配線を当該側パネルの底面側に導くための配線挿通空間を備えている請求項１又は２記載の椅子。
【請求項４】
前記コンセントを、着座者から見て左側の前記側パネルに設けている請求項１、２又は３記載の椅子。
【発明の詳細な説明】
【技術分野】
【０００１】
本発明は、コンセントを備えた椅子に関する。
【背景技術】
【０００２】
従来、この種の椅子として、座の前縁部下側にコンセントバーを設け、そのコンセントバーに電源その他のコンセントを設けたものが知られている（例えば、特許文献１を参照）。
【０００３】
ところが、このような構成のものでは、コンセントが椅子の正面に露出するため見栄えが損なわれるだけでなく、コンセントの位置が座面よりも下側にあるため、そのコンセントにプラグを抜き差しする際に着座者が大きく腰を折り曲げてアクセスしなければならないという不便さがある。
【先行技術文献】
【特許文献】
【０００４】
【特許文献１】特開２０１３−９４４０５号公報
【発明の概要】
【発明が解決しようとする課題】
【０００５】
本発明は、以上に説明した従来の椅子が有する課題、すなわち、見栄えが悪く、コンセントへのアクセスが不便であるという課題を解決することを目的とするものである。
【課題を解決するための手段】
【０００６】
請求項１記載の発明に係る椅子は、座と、この座の両側に配された側パネルとを具備してなる椅子において、前記側パネルの少なくとも一方の内面における前記座の座面よりも上方に位置する部位にコンセントを設け、前記座の両側縁部上に肘掛を兼ねるホールド部材を設けているとともに、前記ホールド部材の前端面が前記側パネルの前端面よりも後方に位置しており、それら前端面間かつホールド部材の上端面よりも下方に前記コンセントを配しているものである。
【０００７】
なお、本発明において、「コンセント」とは、電源コンセントに限らず、情報コンセントや、ＵＳＢ端子等、あるいはそれらを複合させたものを含む概念である。
【００１０】
請求項４記載の発明に係る椅子は、請求項１、２又は３記載の構成のものにおいて、前記座の前端面と前記側パネルの前端面とを略面一に構成しているものである。
【００１１】
請求項５記載の発明に係る椅子は、請求項１、２、３又は４記載の構成のものにおいて、前記側パネルがその内部に前記コンセントに接続された配線を当該側パネルの底面側に導くための配線挿通空間を備えているものである。
【００１２】
請求項６記載の発明に係る椅子は、請求項１、２、３、４又は５記載の構成のものにおいて、前記コンセントを、着座者から見て左側の前記側パネルに設けているものである。
【発明の効果】
【００１３】
本発明によれば、見栄えが悪く、コンセントへのアクセスが不便であるという、従来の椅子が有する課題を解決することができる。
【図面の簡単な説明】
【００１４】
【図１】本発明の一実施形態に係る椅子を示す全体斜視図。
【図２】同実施形態に係る椅子を示す正面図。
【図３】同実施形態に係る椅子を示す平面図。
【図４】同実施形態に係る椅子を示す右側面図。
【図５】図２におけるＡ−Ａ断面図。
【図６】図２におけるＢ−Ｂ断面図。
【図７】図２におけるＣ−Ｃ断面図。
【発明を実施するための形態】
【００１５】
本発明の一実施形態を、図１〜図７を参照しつつ以下に述べる。
【００１６】
本実施形態は、本発明を一人用の椅子Ｃｈに適用した場合のものである。この椅子Ｃｈは、図１〜図３及び図５〜図７に示すように、座１と、この座１の両側に配された側パネル２とを具備してなり、前記側パネル２の少なくとも一方の内面２ａにおける前記座１の座面１ａよりも上方に位置する部位にコンセント３を設けたものである。
【００１７】
前記座１は、図１、図２及び図５に示すように、例えば厚みのある平面視略矩形状のものであり、その底面１ｂ四隅にはキャスタ１１が設けられている。すなわち、座１の底面１ｂは、キャスタ１１の存在により床面から離れた位置に配されており、この座１の底面１ｂと床面との間に空間が形成されている。
【００１８】
前記側パネル２は、図１、図２及び図５に示すように、前記座１の両側面１ｃに下端部２ｂを添接させて座面１ａよりも上方に延設されたものであり、座１に着座した着座者の左右両側を覆い隠し得る形態をなしている。ここで、図１、図３及び図５〜図７に示すように、前記座１の前端面１ｄと前記側パネル２の前端面２ｃとは、略面一に構成されている。そして、図１〜図７に示すように、これら両側パネル２の後端間には、背面パネル４が配されている。すなわち、この背面パネル４は、図５に示すように、下端部４ａを座１の背面１ｅに添設させて座面１ａよりも上方に延設されたものである。この背面パネル４と前記両側パネル２との入隅部分には、図１、図３、図６及び図７に示すように、それら側パネル２及び背面パネル４の内面２ａ、４ｂになめらかに連続する肉厚部４１が形成されている。
【００１９】
また、この椅子Ｃｈは、図１、図２及び図５に示すように、前記座１の両側縁部及び後縁部上に、肘掛を兼ねるホールド部材５を有している。このホールド部材５は、図１、図３及び図５〜図７に示すように、着座者の腰部を囲繞すべく設けられた平面視Ｕ字状のもので、その前端面５ａは前記側パネル２の前端面２ｃよりも後方に位置させてある。そして、このホールド部材５の前端面５ａと前記側パネル２の前端面２ｃとの間に前記コンセント３を配している。この実施形態におけるコンセント３は、いわゆる電源コンセントと称されるものであり、このコンセント３に接続された配線６は、例えば、前記側パネル２の内部に形成された配線挿通空間２ｘを通して側パネル２の底面２ｄに導かれるように構成されている。なお、この実施形態におけるコンセント３は、着座者から見て左側の前記側パネル２に設けられている。
【００２０】
以上説明した椅子Ｃｈは、図１に示すように、移動可能なテーブルＴと組み合わせて使用されることが想定されている。このテーブルＴは、扁平な脚羽根Ｔ２１を有する対をなすＴ字脚Ｔ２上に天板Ｔ１を支持させたものであり、不使用時にはその脚羽根Ｔ２１の先端部を前記椅子Ｃｈの座１の底面１ｂと床面との間の空間に挿入して接近収納しておくことができる。このテーブルＴの天板上Ｔ１には、パーソナルコンピュータ等を載置して使用されるものであり、このパーソナルコンピュータに接続された電源コードを前記椅子Ｃｈのコンセント３に接続することができるようになっている。
【００２１】
このような構成のものであれば、前記コンセント３が椅子Ｃｈの正面に臨むことがなくコンセント３が目立って全体の見栄えを損ねるという不具合を抑制することができる。しかも、前記コンセント３は座面１ａよりも上方に設けられているため、このコンセント３にプラグを抜き差しする際に着座者が大きく姿勢を変える必要がなくなる。
【００２２】
また、この実施形態では、座１の両側縁部及び後縁部上に、肘掛を兼ねるホールド部材５を有しているので、着座者の腰部のホールド感を高めることができるとともに、必要に応じて肘を掛けることも可能となり、使用感を向上させることができる。
【００２３】
さらに、前記ホールド部材５の前端面５ａは前記側パネル２の前端面２ｃよりも後方に位置させてあり、このホールド部材５の前端面５ａと前記側パネル２の前端面２ｃとの間に前記コンセント３を配しているので、コンセント３に着座者が密着することがなく、コンセント３の周囲に空間が形成される。そのため、安全性を確保することができるだけでなく、このコンセント３へのプラグの着脱が容易になるとともに、プラグに接続された配線類の取り回しも容易になる。
【００２４】
加えて、前記座１の前端面１ｄと前記側パネル２の前端面２ｃとを面一に構成しているので、椅子Ｃｈ全体を凹凸部分のないコンパクトなものにすることができる。特にこの実施形態のように、椅子Ｃｈの全体を平面視矩形状のものにしておけば、複数の椅子Ｃｈを収納する際にも相互に密着させて効率よく配置することができる。しかも、座１又は側パネル２が前方に突出することがないため、衝突等を招くことなく、着座者の着座又は離席操作を円滑に行うことができる。
【００２５】
その上、前記側パネル２が、その内部に前記コンセント３に接続された配線を当該側パネル２の底面２ｅ側に導くための配線挿通空間２ｘを備えているので、配線類が外部に露出するのを最小限にとどめることができる。
【００２６】
そして、前記コンセント３を、着座者から見て左側の前記側パネル２に設けているので、大部分のパーソナルコンピュータへの接続が容易になる。すなわち、ほとんどのパーソナルコンピュータは、使用者から見て背面又は左側に電源端子が配されているため、係るパーソナルコンピュータとこの椅子Ｃｈのコンセント３とを最短距離で結ぶことが可能になる。
【００２７】
なお、本発明は以上に述べた実施形態に限らない。
【００２８】
例えば、コンセントは、以上説明した電源コンセントに限らず、情報コンセントや、ＵＳＢ端子等、あるいはそれらを複合させたものであってもよい。
【００２９】
また、背面パネルは、必ずしも必要ではないが、前記実施形態のように側面パネルの後端間に背面パネルを設けておけば、着座者を囲うような空間を座面状に形成することができるため、集中した作業に適したものとなる。また、前記背面パネルは、背もたれとして機能させることができるような形態にすることも可能である。
【００３０】
さらに、ホールド部材は、必ずしも必要なものではないが、このようなホールド部材を設けておけば、着座者がコンセントに密着するのを効果的に防止することができるだけでなく、そのホールド部材を肘掛として使用することもでき、着座感を向上させることもできる。
【００３１】
加えて、座の前端面と側パネルの前端面との位置関係は任意に設定してよい。また、着座者から見て右側の側パネルにコンセントを設けてもかまわない。
【００３２】
一方、コンセントに接続された配線を当該側パネルの外部に導くための態様として、側パネルの内部の配線挿通空間を利用する以外の態様を採用してもよく、側パネルの内部の配線挿通空間を利用する場合であっても、配線挿通空間の態様は種々考えられる。例えば、座が中空のものであれば、側パネルと座との対向する部位にそれぞれ開口を設け、この開口を介して配線を座の内部に導く態様が考えられる。
【００３３】
そして、上述した実施形態のような一人用の椅子だけでなく、複数人用の椅子に本発明を適用してもよい。
【００３４】
その他、本発明の趣旨を損ねない範囲で種々変更してよい。
【符号の説明】
【００３５】
Ｃｈ…椅子
１…座
１ａ…座面
２…側パネル
２ａ…側パネルの内面
３…コンセント
【図１】
0006988260.tif 000002
【図２】
0006988260.tif 000003
【図３】
0006988260.tif 000004
【図４】
0006988260.tif 000005
【図５】
0006988260.tif 000006
【図６】
0006988260.tif 000007
【図７】
0006988260.tif 000008